(57)【要約】      （修正有）【課題】枕の高さと硬さの両方を使用者の好みに合わせて調整することができる高さ調整用枕を提供する。【解決手段】袋状のカバー１内に粒状の充填材を収容した枕を設ける。高さ調整紐２を絞り込むことで枕の高さが高くなるように設ける。カバー１の底部周囲に硬さ調整紐３を配設する。硬度調整紐３を絞り込むことで枕の硬さが硬化するように構成する。伸縮性を有する生地にてカバー１を形成する。硬さ調整紐３を絞り込んだ際にカバー１が伸長するように構成する。発泡マイクロビーズと合成樹脂製の極小パイプ材とを混合して充填材を構成する。平面円形状を成し上面中央に窪み４が形成された枕を形成する。【選択図】図１
0003195652.tif 000002
【実用新案登録請求の範囲】
【請求項１】
袋状のカバー内に粒状の充填材が収容され、カバーの側部周囲に高さ調整紐を配設し、該高さ調整紐を絞り込むことでカバー内の充填材が上下に移動して枕の高さが高くなるように構成した高さ調整用枕において、カバーの底部周囲に硬さ調整紐を配設し、該硬度調整紐を絞り込むことでカバー内の充填材が圧縮されて枕の硬さが硬化するように構成したことを特徴とする高さ調整用枕。
【請求項２】
前記カバーは、伸縮性を有する生地にて形成され、前記硬さ調整紐を絞り込んだ際に前記カバーが伸長するように構成した請求項１記載の高さ調整用枕。
【請求項３】
前記充填材は、発泡マイクロビーズと合成樹脂製の極小パイプ材とを混合して構成した請求項１記載の高さ調整用枕。
【請求項４】
前記枕は平面円形状を成し、上面中央に窪みが形成された請求項１記載の高さ調整用枕。
【考案の詳細な説明】
【技術分野】
【０００１】
本考案は、紐状部材を調整することで、枕の高さと硬さをそれぞれ使用者の好みに応じて調整することができる高さ調整用枕に関するものである。
【背景技術】
【０００２】
紐状部材を使用し、利用者の好みに応じて高さを調整可能にした枕が特許文献1及び特許文献２に記載されている。
【０００３】
特許文献１に記載の枕は、カバー内部を複数の収容部に隔別するとともに、各収容部の大きさを紐状部材で絞ることで、枕の高さ調整できるようにしている。
【０００４】
一方、特許文献２に記載の枕は、枕に対して縦方向に巻き付けた高さ調整紐の一端を締め付けることで、袋の高さや硬さを調整するものである。
【先行技術文献】
【特許文献】
【０００５】
【特許文献１】特開平１１‐３１３７４１号公報
【特許文献２】実開平７‐１４９７０号公報
【考案の開示】
【考案が解決しようとする課題】
【０００６】
ところが、特許文献１に記載された枕では、枕に対して横方向に巻き付けた紐状部材を締め付けることで、各収容部の高さを調整するものであるから、紐状部材を締め付けると枕が高くなり、その分、枕が硬くなる。一方、紐状部材を緩めると、枕が低くなった分だけ、枕が柔らかくなる。このように、使用者は、枕の高さを調整することは可能でも、枕の硬さは高さに準じた硬さに制限されることになり、高さと別に硬さを調整することはできない。したがって、枕の高さと硬さの両方を使用者の好みに調整することはできない構成であった。
【０００７】
また、特許文献２に記載の枕は、枕に対して縦方向に巻き付けた高さ調整紐によって枕の高さを調整するものである。ところが、縦向きに巻き付けた高さ調整紐を絞り込むと、枕の硬さは変化しても枕の高さはあまり変化しない傾向がある。したがって、この枕の構成では、硬さの調整幅は広いが、高さの調整幅は狭くなるという不都合があった。
【０００８】
そこで本考案は、上述の課題を解消すべく案出されたもので、枕の高さと硬さの両方を使用者の好みに合わせて調整することができる高さ調整用枕の提供を目的とするものである。
【課題を解決するための手段】
【０００９】
本考案の第１の手段は、袋状のカバー１内に粒状の充填材Ｐが収容され、カバー１の側部周囲に高さ調整紐２を配設し、該高さ調整紐２を絞り込むことでカバー１内の充填材Ｐが上下に移動して枕の高さが高くなるように構成した高さ調整用枕において、カバー１の底部周囲に硬さ調整紐３を配設し、該硬度調整紐３を絞り込むことでカバー１内の充填材Ｐが圧縮されて枕の硬さが硬化するように構成したことにある。
【００１０】
第２の手段において、前記カバー１は、伸縮性を有する生地にて形成され、前記硬さ調整紐３を絞り込んだ際に前記カバー１が伸長するように構成している。
【００１１】
第３の手段の前記充填材Ｐは、発泡マイクロビーズと合成樹脂製の極小パイプ材とを混合して構成したものである。
【００１２】
第４の手段は、前記枕は平面円形状を成し、上面中央に窪み４が形成されたものである。
【考案の効果】
【００１３】
本考案の請求項１のごとく、高さ調整紐２を絞り込むことでカバー１内の充填材Ｐが上下に移動して枕の高さが高くなるように構成した高さ調整用枕において、カバー１の底部周囲に硬さ調整紐３を配設し、該硬度調整紐３を絞り込むことでカバー１内の充填材Ｐが圧縮されて枕の硬さが硬化するように構成したことにより、枕の高さと硬さの両方を使用者の好みに合わせて調整することができるものである。
【００１４】
すなわち、高さ調整紐２の絞り込みにより、充填材Ｐが上下に分離するので高さが増す。この状態で硬さ調整紐３を絞り込むと、カバー１内部の充填材Ｐが更に圧縮されて硬くなる。このように硬さ調整紐３の調整で、枕の硬さを調整することが可能になった。
【００１５】
請求項２のように、カバー１は、伸縮性を有する生地にて形成され、硬さ調整紐３を絞り込んだ際にカバー１が伸長するように構成したことで、高さ調整紐２を絞り込んだ際に、硬さの調整幅を広くすることができる。また、伸縮性のある生地により肌触りを良好にする効果もある。
【００１６】
請求項３のごとく、充填材Ｐは、発泡マイクロビーズと合成樹脂製の極小パイプ材とを混合して構成したことで、高さ調整紐２や硬さ調整紐３を絞り込んだときに、充填材Ｐが圧縮され易いので、枕の高さや硬さの調整幅を広くすることができる。しかも、通気性が良好で、カバー１の表面から充填材Ｐの一部が突出するような不具合も生じない。
【００１７】
請求項４のように、枕は平面円形状を成し、上面中央に窪み４が形成されたことから、硬さ調整紐３を絞り込んだ際に、カバー１に対して均一な負荷が掛かるので、枕の硬さも均一にすることが可能になる。しかも、使用時において、この窪み４により頭部を安定した状態で支持することができる。この結果、枕の使用感も良好になり、高さや硬さを調整した枕をより快適に使用することができる。
【図面の簡単な説明】
【００１８】
【図１】本考案の調整前の状態を示す斜視図である。
【図２】本考案の調整前の状態を示す平面図である。
【図３】本考案の調整前の状態を示す側端面図である。
【図４】本考案の硬さを調整した状態を示す斜視図である。
【図５】本考案の硬さを調整した状態を示す底面図である。
【図６】本考案の硬さを調整した状態を示す側端面図である。
【図７】本考案の高さと硬さを調整した状態を示す斜視図である。
【図８】本考案の高さと硬さを調整した状態を示す側端面図である。
【考案を実施するための形態】
【００１９】
本考案は、袋状のカバー１内に粒状の充填材Ｐが収容された高さ調整枕に関するもので、特に、カバー１の側部周囲に高さ調整紐２を配設したものである（図１参照）。図示例では、カバー１の側面に沿って配設された帯材５にて紐通し口を形成し、この紐通し口に高さ調整紐２を通している。
【００２０】
そして、この高さ調整紐２を絞り込むと、カバー１内の充填材Ｐが上下に移動して枕の高さが高くなるように構成されている（図８参照）。図示では、緊締具８を使用して高さ調整紐２の端部を絞り込んだ後縛り付けている。
【００２１】
本考案では、この高さ調整紐２に加えて、カバー１の底部周囲に硬さ調整紐３を配設している（図２参照）。この硬さ調整紐３は、幅広の帯材６でカバー１の底部に形成した紐通し口に通している（図５参照）。この硬度調整紐３を絞り込むと、カバー１全体が底部方向に引き寄せられることになり、カバー１内の充填材Ｐが圧縮されて硬化する（図６参照）。図示では、硬さ調整紐３の端部を緊締具８にて固定するように設けている。
【００２２】
この硬さ調整紐３の絞り込みを調整することで、枕の硬さを任意の硬さに調整することが可能になる（図４参照）。このとき、カバー１と共に高さ調整紐２の位置が枕の側面下方に下がってくる（図６参照）。そこで、この高さ調整紐２を締め付けることで、枕の高さを調整するものである（図８参照）。
【００２３】
すなわち、本考案の枕において、硬さや高さを調整するには、まず、硬さ調整紐３を絞り込んで予め硬さを調整し（図６参照）、その後、高さ調整紐２により高さを調整する（図８参照）。また、高さを調整してから硬さを調整することも可能である。
【００２４】
図示例のカバー１は、伸縮性を有する生地にて形成されている。そして、硬さ調整紐３を絞り込んだ際に、このカバー１が伸長するように構成したものである。カバー１の具体例として、スパンデックス等のポリウレタン弾性繊維を使用した生地が好適である。また、この他の材質に変更することも可能である。
【００２５】
充填材Ｐは、高さ調整紐２や硬さ調整紐３を絞り込むことで、容易に移動し、且つ使用者の頭部や肌に違和感を与えない材質が求められる。そこで本考案では、発泡マイクロビーズと合成樹脂製の極小パイプ材とを混合して充填材Ｐを構成している。この充填材Ｐは、使用者の好みに応じて任意に変更することも可能である。
【００２６】
本考案枕の形状は、平面円形状を成し、上面中央に窪み４が形成されたものである（図７参照）。このように平面円形状を成すことで、硬さ調整紐３を絞り込んだ際に、カバー１に対して均一な負荷が掛かるので、枕の硬さも均一にすることが可能になる。
【００２７】
また、枕の形状は、図示例の他、平面四角形状など、他の形状に変更することが可能である。図中符号７は、カバー１の底面からし優位方向に延長されたひだ部である。このひだ部７は、主に装飾効果を有するものであるが、枕を安定させる効果もある。
【００２８】
尚、図示の各構成は、本考案の一実施例に過ぎず、本考案の要旨を変更しない範囲での構成の変更は自由である。
【符号の説明】
【００２９】
Ｐ  充填材
１  カバー
２  高さ調整紐
３  硬さ調整紐
４  窪み
５  帯材
６  帯材
７  ひだ部
８  緊締具
【図１】
0003195652.tif 000003
【図２】
0003195652.tif 000004
【図３】
0003195652.tif 000005
【図４】
0003195652.tif 000006
【図５】
0003195652.tif 000007
【図６】
0003195652.tif 000008
【図７】
0003195652.tif 000009
【図８】
0003195652.tif 000010